(57)【要約】【課題】  従来の超音波美容器では、超音波出力を大きくするために、振動板にソリッド型の圧電素子を複数枚接着することが必要であり、そのため、振動の位相を合わせる接着位置の調整が困難であるというという問題があった。【解決手段】  ランジュバン型振動子３は圧電素子４をホーン５及び後部金属ブロック６で挟持して固定したもので、このランジュバン型振動子３のホーン５の先端５ａに切り込み５ｂを形成し、この切り込み５ｂに振動板７の端部７ａの一部を挿入し、ホーン５の切り込み５ｂの近傍に形成したネジ孔５ｃに止めネジ８を挿入して固定する。【選択図】図１
2006230942.tif 000002
【特許請求の範囲】
【請求項１】
圧電体振動子を後部金属ブロック及び先端が細く形成されたホーンによって挟持したランジュバン型振動子と、該ランジュバン型振動子のホーンの先端に設けた切り込みに挿入された振動板と、前記ホーンの切り込み部分の側面に形成されたネジ孔に挿入された止めネジとからなり、前記振動板を止めネジで固定することを特徴とする超音波美容器。
【請求項２】
圧電体振動子を後部金属ブロック及び先端が細く形成されたホーンによって挟持したランジュバン型振動子と、該ランジュバン型振動子のホーンの先端に設けた切欠部に載置された振動板と、該振動板の上に載置された止め板と、前記ホーンの切欠部、前記振動板及び前記止め板に形成された通し孔に挿入された止めビスと、該止めビスにネジ嵌合されるナットとからなり、前記振動板及び止め板を前記止めネジ及びナットで固定することを特徴とする超音波美容器。
【請求項３】
圧電体振動子を後部金属ブロック及び先端が細く形成されたホーンによって挟持したランジュバン型振動子と、該ランジュバン型振動子のホーンの先端に設けた切欠部に載置された振動板と、該振動板の上に載置された止め板と、前記振動板及び前記止め板に形成された通し孔に挿入され、前記ホーンの切欠部に形成されたネジ切り孔にネジ止めされる止めビスとからなり、前記振動板及び止め板を前記止めネジ及びナットで固定することを特徴とする超音波美容器。
【発明の詳細な説明】
【技術分野】
【０００１】
本発明は、振動板をランジュバン型振動子で振動することにより、振動板を顔や肌に接触させてマッサージをしたり、美容液の浸透を促進させる超音波美容器に関するものである。
【背景技術】
【０００２】
従来のこの種の美容器としては、図３に示すように、振動板（スクライバー）１の上にソリッド型の圧電素子２を接着し、圧電素子２に発振器（図示せず）から発振出力を印加することにより、振動板１の先端に超音波振動を発生し、振動板１の先端を顔や肌に接触させて移動することにより、顔や肌をマッサージすることができ、又、顔や肌に塗布した美容液の浸透を促進するようにしている。
【０００３】
しかしながら、このように構成された従来の超音波美容液では、超音波出力を大きくするためには、振動板１にソリッド型の圧電素子２を複数枚接着することが必要であり、そのため、振動の位相を合わせる接着位置の調整が困難であるという問題がある。
【特許文献１】特開平６−３２８０４２号
【発明の開示】
【発明が解決しようとする課題】
【０００４】
解決しようとする問題点は、従来の超音波美容器では、超音波出力を大きくするために、振動板にソリッド型の圧電素子を複数枚接着することが必要であり、そのため、振動の位相を合わせる接着位置の調整が困難であるというという問題があった。
【課題を解決するための手段】
【０００５】
本発明では、ランジュバン型振動子は圧電体振動子を後部金属ブロック及び先端が細く形成されたホーンによって挟持され、振動板はランジュバン型振動子のホーンの先端に設けた切り込みに挿入され、止めネジはホーンの切り込み部分の側面に形成されたネジ孔に挿入され、振動板をネジで固定するものである。
【発明の効果】
【０００６】
本発明の超音波美容器では、圧電体振動子を後部金属ブロックと先端が細く形成されたホーンによって挟持され、このホーンの先端に形成された切り込みに振動板の一端を挿入し、又、ホーンの切り込み部分の側面に形成されたネジ孔に止めネジを挿入して固定することにより、種々の形状に構成された振動板を簡単に交換することができるという利点があり、又、ランジュバン型振動子のホーンの先端に止めネジで固着するために、小さな振動板を使用することができるという利点がある。
【発明を実施するための最良の形態】
【０００７】
本発明では、形状の異なった振動板及び大きさの異なった振動板を固定して、交換容易にするために、ランジュバン型振動子に振動板を止めネジ及び止めネジとナット及び止め板によって固定するようにしたものである。
【実施例】
【０００８】
図１は本発明の実施例の超音波美容液の斜視図、図２は図１の超音波美容液の側面図で、ランジュバン型振動子３は圧電素子４をホーン５及び後部金属ブロック６で挟持して固定したもので、このランジュバン型振動子３のホーン５の先端５ａに切り込み５ｂを形成し、この切り込み５ｂに振動板７の端部７ａの一部を挿入し、ホーン５の切り込み５ｂの近傍に形成したネジ孔５ｃに止めネジ８を挿入して固定する。
【０００９】
このように構成された本実施例の超音波美容器では、ランジュバン型振動子３の圧電素子４に発振器（図示せず）から発振出力を印加することにより、圧電振動子３の厚さ方向の伸縮によって、ホーン５が先端方向に振動するとともに、先端部分で曲げ振動を生ずるので、ホーン５の固定された振動板７の先端部分７ｂは振動板７に沿った方向に振動すると共に、ホーン５の曲げ振動によって振動板７に曲げ振動が生じ、この振動板７の先端方向の振動と曲げ振動により、顔や肌をマッサージすることができ、又、顔や肌に塗布した美容液の浸透を促進することができ、このランジュバン型振動子３の振動は強いので、発振器からの出力を調整することにより、美容のための振動を適正なものにすることができる。
【００１０】
図３は本発明の他の実施例の超音波美容液の側面図で、ランジュバン型振動子３のホーン５の先端５ａに切欠部５ｄを形成し、この切欠部５ｄの上に振動板７の端部７ａを載置し、この振動板７の上に止め板１０を載置し、ホーン５の切欠部５ｄ、振動板７の端部７ｃの近傍及び止め板１０に通し孔をそれぞれ設け、この通し孔に止めビス９を通し、止めビス９の端部にワッシヤ１１及びナット１２を嵌合して締めることにより、ホーン５に振動板７を固定することができる。
【００１１】
本実施例では、このように振動板７をランジュバン型振動子３のホーン５の先端に固定することにより、図１の実施例と同様に、振動板７に沿った方向の振動と曲げ振動により、顔や肌をマッサージすることができ、又、顔や肌に塗布した美容液の浸透を促進することができる。
【００１２】
図４は本発明のさらに他の実施例の超音波美容液の側面図で、ランジュバン型振動子３のホーン５の先端５ａに切欠部５ｄを形成し、この切欠部５ｄの上に振動板７の端部７ａを載置し、この振動板７の上に止め板１０を載置し、振動板７の端部７ｃの近傍及び止め板１０に通し孔をそれぞれ設け、ホーン５の切欠部５ｄの部分にネジ切り孔５ｅを形成し、振動板７の端部７ｃの近傍及び止め板１０に形成した通し孔に止めビス９を通し、止めビス９の端部をホーン５の切欠部に形成したネジ切り孔５ｅに嵌合して締めることにより、ホーン５に振動板７を固定することができる。
【００１３】
本実施例では、このように振動板７をランジュバン型振動子３のホーン５の先端に固定することにより、図１の実施例と同様に、振動板７に沿った方向の振動と曲げ振動により、顔や肌をマッサージすることができ、又、顔や肌に塗布した美容液の浸透を促進することができる。
【産業上の利用可能性】
【００１４】
なお、上記実施例において、ランジュバン型振動子３のホーン５の先端に装着する振動板７は、上記実施例の図面に示した形状の物以外に、形状の異なったものや大きさの異なったを装着するようにしてもよいし、又、ナットと押え板の間に介在させたワッシャは無くてもよいし、さらに、止めビスと押え板の間にワッシャを入れてもよい。。
【図面の簡単な説明】
【００１５】
【図１】本発明の実施例の超音波美容器の斜視図である。
【図２】図１の実施例の超音波美容器の側面図である。
【図３】本発明の他の実施例の超音波美容器の斜視図である。
【図４】本発明のさらに他の実施例の超音波美容器の斜視図である。
【図５】従来の超音波美容器の斜視図である。
【符号の説明】
【００１６】
３                ランジュバン型振動子
４                圧電素子
５                ホーン
６                後部ブロック
７                振動板
８                止めネジ
９                止めビス
１０              止め板
１１              ワッシヤ
１２              ナット
【図１】
2006230942.tif 000003
【図２】
2006230942.tif 000004
【図３】
2006230942.tif 000005
【図４】
2006230942.tif 000006
【図５】
2006230942.tif 000007